(57)【要約】【課題】  使用時に通電する必要がなく、長時間保温してペットを寒さから守ることができるペット用保温具を提供する。【解決手段】  蓄熱材とこの蓄熱材に熱を供給するヒーターを内蔵する放熱容器４と、ヒーターと外部電源とを電気的に接続する電源コード５とを有し、放熱容器４には、ヒーターと電気的に接続される差込口４５が設けられ、電源コード５は放熱容器４に対して着脱自在となるように構成され、電源コード５を放熱容器４の差込口４５および外部電源のコンセントに接続してヒーターに通電することにより蓄熱材に蓄熱し、保温具１の使用時には、電源コード５を差込口４５およびコンセントから引き抜いて、電源コード５を放熱容器４から取り外し、蓄熱材からの放熱によりペットを保温する。【選択図】  図１
2005341900.tif 000002
【特許請求の範囲】
【請求項１】
蓄熱材とこの蓄熱材に熱を供給するヒーターを内蔵する放熱容器と、ヒーターと外部電源とを電気的に接続する電源コードとを有し、
前記放熱容器には、ヒーターと電気的に接続される差込口が設けられ、
前記電源コードの一端に、放熱容器の差込口に差し込まれる接続プラグが取り付けられて電源コードが放熱容器に対して着脱自在となるように構成されるとともに、電源コードの他端に、外部電源のコンセントに差し込まれる電源プラグが取り付けられ、
電源コードを放熱容器の差込口および外部電源のコンセントに接続してヒーターに通電することにより蓄熱材に蓄熱し、保温具の使用時には、電源コードを差込口およびコンセントから引き抜いて、電源コードを放熱容器から取り外し、蓄熱材からの放熱によりペットを保温することを特徴とするペット用保温具。
【請求項２】
前記放熱容器は、この放熱容器が出し入れ自在となるように構成されたカバーに収容されていることを特徴とする請求項１記載のペット用保温具。
【請求項３】
前記カバーと放熱容器との間には、放熱容器を保護するとともに、ペットの保温性と緩衝性を高める保温緩衝部材が設けられていることを特徴とする請求項２記載のペット用保温具。
【発明の詳細な説明】
【技術分野】
【０００１】
本発明は、ペット用保温具に関する。
【背景技術】
【０００２】
犬や猫などのペットを寒さから守るために、従来から、毛布を敷いたり、湯たんぽなどを用いて暖めることが一般に行われていた。また、電子レンジで加熱することにより、一定時間保温効果を生じる素材を用いた保温具が使用されることもあった（例えば、特許文献１参照。）。
【０００３】
しかし、毛布を敷いても保温効果は低く、湯たんぽは、熱湯の出し入れが危険かつ煩雑である上、短時間で保温効果が減少してしまうといった不都合があった。また、電子レンジは、本来、食品の加熱に用いられるものであって、電子レンジの庫内にペットに使用している保温具を入れて加熱することは、衛生上好ましくない。
【０００４】
このため、コードをコンセントに接続して通電することにより発熱するヒーターを内蔵したペット用ヒーターが提案されている（例えば、特許文献２参照。）。  
【特許文献１】特開２００３−１６９５５９号公報
【特許文献２】実開平１−６６７８４号公報
【発明の開示】
【発明が解決しようとする課題】
【０００５】
しかしながら、上記特許文献２に記載されたペット用ヒーターでは、コードをコンセントに接続して通電している間は、保温効果が持続するが、コードをコンセントから引き抜くと、保温効果が得られない。
【０００６】
一方、ペットがコードに引っ掛ったり、噛んで感電するおそれがあるために、飼い主の外出中や深夜には、コードをコンセントから抜いて、ヒーターを使用しない場合が多い。また、屋外でペットを飼っている場合や、ペットを連れて外出するときには、上記のようなペット用ヒーターを用いることができない。
【０００７】
本発明は、このような事情に鑑み創案されたもので、使用時に通電する必要がなく、長時間保温してペットを寒さから守ることができるペット用保温具を提供するものである。
【課題を解決するための手段】
【０００８】
上記の目的を達成するため、本発明に係るペット用保温具は、蓄熱材とこの蓄熱材に熱を供給するヒーターを内蔵する放熱容器と、ヒーターと外部電源とを電気的に接続する電源コードとを有し、前記放熱容器には、ヒーターと電気的に接続される差込口が設けられ、前記電源コードの一端に、放熱容器の差込口に差し込まれる接続プラグが取り付けられて電源コードが放熱容器に対して着脱自在となるように構成されるとともに、電源コードの他端に、外部電源のコンセントに差し込まれる電源プラグが取り付けられ、電源コードを放熱容器の差込口および外部電源のコンセントに接続してヒーターに通電することにより蓄熱材に蓄熱し、保温具の使用時には、電源コードを差込口およびコンセントから引き抜いて、電源コードを放熱容器から取り外し、蓄熱材からの放熱によりペットを保温することを特徴とする。
【０００９】
この発明によれば、電源コードが放熱容器から着脱自在に構成され、電源コードを差込口およびコンセントに接続してヒーターに通電し蓄熱材に蓄熱すれば、電源コードを差込口およびコンセントから引き抜いて、電源コードを放熱容器から取り外し、蓄熱材からの放熱によりペットを保温することができるので、保温具の使用時に電源コードを使わないため、ペットが電源コードに引っ掛ったり、電源コードを噛んで感電するおそれがなく、安全である。したがって、深夜や飼い主の外出時、あるいは屋外で、安心して使用することができる。
【００１０】
また、通電するのは蓄熱材への蓄熱時のみであって、保温具の使用時には通電しないので、電気の無駄がなく、エネルギーコストを低減することができる。
【００１１】
上記構成のペット用保温具において、前記放熱容器を、この放熱容器が出し入れ自在となるように構成されたカバーに収容すると、カバーが汚れた場合には、カバーを放熱容器から取り外して洗浄することができるので、清潔である。
【００１２】
上記構成のペット用保温具において、前記カバーと放熱容器との間に、放熱容器を保護するとともに、ペットの保温性と緩衝性を高める保温緩衝部材を設けると、放熱容器の損傷を防止することができる。また、保温緩衝部材によって、放熱容器の硬さが緩和され、ペットに与える刺激を低減して使用感を良くすることができる。さらに、保温緩衝部材が放熱容器と外気との間に介在するので、放熱容器からの熱を留めることができるとともに、外部からの冷気を遮ることができる。したがって、長時間保温してペットを寒さから守ることができる。その上、放熱容器の熱を緩和させることができるので、ペットに適度な温かさを与えることができる。
【発明の効果】
【００１３】
本発明に係るペット用保温具によれば、使用時に通電する必要がなく、長時間保温してペットを寒さから守ることができる。
【発明を実施するための最良の形態】
【００１４】
以下、本発明の実施の形態について、図を参照して説明する。
【００１５】
図１には、本実施形態のペット用保温具１の全体が示されている。
【００１６】
このペット用保温具１は、蓄熱材２とヒーター３とを内蔵した放熱容器４と、外部電源とヒーター３とを電気的に接続する電源コード５とから構成され、放熱容器４を出し入れ自在に収容するカバー６を有している。
【００１７】
放熱容器４は、合成樹脂で成形された筐体であって、図２に示すように、内側ケース４１と、外側ケース４２とが嵌合されてなっている。
【００１８】
なお、放熱容器４の素材は、合成樹脂に限定されるものではない。
【００１９】
内側ケース４１は、放熱容器４の上面を構成する上面部４３と、蓄熱材２が封入される封入部４４とからなっている。
【００２０】
蓄熱材２としては、本実施形態ではポリエチレングリコール（ポリエチレングリコールを水で溶解した混合物）が採用されている。ポリエチレングリコールは、常温では固状であって、加熱することにより液状に相変化することで、潜熱を蓄熱することができる。ポリエチレングリコールは融解熱が大きいことから、蓄熱材として好適に用いられるが、蓄熱材２に用いられるのは、ポリエチレングリコールに限定されるものではない。
【００２１】
ヒーター３は、図３に示すように、発熱線３１を平面に配置した面状発熱体であって、温度ヒューズ３２とサーモスタット３３が取り付けられている。また、ヒーター３の発熱線３１は、アルミシート３４で被覆されており、熱を反射して加熱効率を上げるとともに、発熱線３１を保護し、封入部４４にヒーター３を好適に取り付けることができるように図られている。さらに、ヒーター３には、電源コード５と電気的に接続するための導線７が取り付けられている。
【００２２】
外側ケース４２は、放熱容器４の下面と側面とを構成している。この外側ケース４２は、内部に内側ケース４１の封入部４４を収容するように、内側ケース４１と嵌め合わされている。
【００２３】
また、外側ケース４２の一側面４２ａには、後述する接続プラグ５２の差込口４５が設けられている。この差込口４５には、ヒーター３に取り付けられた導線７が接続されたインレット８が取り付けられている。そして、図４に示すように、差込口４５を覆うキャップ４６が着脱自在に取り付けられている。
【００２４】
さらに、外側ケース４２の一側面４２ａの差込口４５近傍には、温度表示シール４７が貼り付けられている。温度表示シール４７は、放熱容器４の温度によって色が変化するものであって、蓄熱時間の目安を表示することができる。
【００２５】
電源コード５は、図１に示すように、その一端に差込口４５のインレット８に差し込む接続プラグ５２が取り付けられ、放熱容器４に着脱自在に取り付けられるように構成されている。また、電源コード５の他端には、外部電源のコンセント（図示せず）に差し込む電源プラグ５１が取り付けられている。
【００２６】
カバー６は、図５に示すように、外側から、フリース６１、ウレタンフォーム（保温緩衝部材）６２、ガーゼ６３の順に積層されてなっており、放熱容器４を保護するとともに、ペットの保温性と緩衝性を高めることができるように図られている。
【００２７】
なお、カバー６を構成する各部材は、この実施形態に限定されるものではなく、その組み合わせ、各素材は適宜決定されるものとする。例えば、ウレタンフォーム６２の代わりに、他の発泡体や綿素材などを用いることができ、また、フリース６１の代わりに、羊毛素材などの暖かく肌触りの良い素材を用いることができる。さらに、ガーゼ６３についても、ウレタンフォーム６２を被覆して、放熱容器４とウレタンフォーム６２とが直接接触することを防止しうるものであれば、他の薄手の生地などでも良い。
【００２８】
また、カバー６には、放熱容器４を出し入れすることができるように、開口部６ａが設けられており、ファスナー６４により開閉自在とされている。
【００２９】
次に、上記構成のペット用保温具１の使用方法を、図を参照しながら説明する。
【００３０】
まず、使用者は、カバー６のファスナー６４を開いて、開口部６ａを開口し、放熱容器４の差込口４５を露出させて、差込口４５のキャップ４６を外しておく。
【００３１】
次いで、電源コード５の接続プラグ５２を差込口４５のインレット８に差し込むとともに、電源プラグ５１を外部電源のコンセントに差し込んで、ヒーター３に通電する。ヒーター３が発熱すると、蓄熱材２が加熱されて、相変化が起こり、潜熱によって蓄熱される。
【００３２】
放熱容器４の温度が上昇して適温になると、温度表示シール４７の色が変化することにより、使用者は、通電を終了させるタイミングを知ることができる。適温になれば、電源コード５の接続プラグ５２および電源プラグ５１をそれぞれ引き抜いて、電源コード５を放熱容器４から取り外す。
【００３３】
その後、差込口４５にキャップ４６を取り付け、カバー６を被せて、ファスナー６４により開口部６ａを閉じる。
【００３４】
蓄熱材２からの放熱によって、放熱容器４の温度は上昇しており、また、カバー６の保温効果によって、放熱容器４が長時間にわたって保温される。本実施形態では、約３０分の通電で、約８時間保温することができる。このように、短い通電時間で長時間保温することができるので、経済的であり、節電効果も有している。
【００３５】
また、放熱容器４から、カバー６を介してペットに伝熱されるので、適度な温かさをペットに与えることができる。
【００３６】
蓄熱材２からの放熱が少なくなり、放熱容器４の温度が低下すると、再度、電源コード５の接続プラグ５２を差込口４５のインレット８に差し込むとともに、電源プラグ５１を外部電源のコンセントに差し込んで、ヒーター３に通電すれば、繰り返し使用することができる。
【００３７】
なお、カバー６の開口部６ａから放熱容器４を出し入れすることができるので、カバー６が汚れた場合には、カバー６から放熱容器４を取り出して、洗浄することが可能で、清潔な状態で使用することができるし、他の素材や色、柄などからなるカバー６を用意しておいて、適宜、簡単に取り替えることができる。
【産業上の利用可能性】
【００３８】
本発明は、使用時に通電する必要がなく、長時間保温してペットを寒さから守ることができるペット用保温具に適用できる。
【図面の簡単な説明】
【００３９】
【図１】本発明に係るペット用保温具の全体を示す斜視図である。
【図２】図１のペット用保温具の放熱容器を分解して示す斜視図、および全体を示す斜視図である。
【図３】図１のペット用保温具のヒーターの構成を示す斜視図、および断面図である。
【図４】図１のペット用保温具の放熱容器の一側面を示す斜視図である。
【図５】図１のペット用保温具の側面の一部を破断して示す図である
【符号の説明】
【００４０】
１      ペット用保温具
２      蓄熱材
３      ヒーター
４      放熱容器
４５    差込口
５      電源コード
５１    電源プラグ
５２    接続プラグ
６      カバー
６２    ウレタンフォーム（保温緩衝部材）
【図１】
2005341900.tif 000003
【図２】
2005341900.tif 000004
【図３】
2005341900.tif 000005
【図４】
2005341900.tif 000006
【図５】
2005341900.tif 000007